(57)【要約】  本発明に係る介護用ベッド１は、マット体３の上半身受け部８が互いに枢結された背凭れ部１１と腰受け部１２とから構成され、臀受け部７は左右に分割され、該左右の臀受け部７ａ，７ｂは互いに近接離間方向にスライド可能に設けられ、便器２０の使用時には、腰受け部１２が背凭れ部１１との枢結部１４を支点に上方に回転した後、左右の臀受け部７ａ，７ｂが互いに離間方向にスライドすることにより開口部が形成され、該開口部に便器１０が上昇した後、腰受け部１２が背凭れ部１１との枢結部１４を支点に下方に回転すると共に背凭れ部１１が起立方向に回転することを特徴とする。
2008093527.tif 000002
【特許請求の範囲】
【請求項１】
少なくとも臀受け部と該臀受け部より上半身部分を受け止める上半身受け部と前記臀受け部より下半身部分を受け止める下半身受け部とに分割されたマット体と、前記臀受け部の下方に昇降可能に設けられた便器とを備えた介護用ベッドであって、
前記マット体の上半身受け部は互いに枢結された背凭れ部と腰受け部とから構成され、前記臀受け部は左右に分割され、該左右の臀受け部は互いに近接離間方向にスライド可能に設けられ、前記便器の使用時には、前記腰受け部が前記背凭れ部との枢結部を支点に上方に回転した後、前記左右の臀受け部が互いに離間方向にスライドすることにより前記開口部が形成され、該開口部に前記便器が上昇した後、前記腰受け部が前記背凭れ部との枢結部を支点に下方に回転すると共に前記背凭れ部が起立方向に回転することを特徴とする介護用ベッド。
【請求項２】
前記マット体の下半身受け部は互いに枢結された大腿受け部と下腿受け部とから構成され、前記便器の使用時には、前記大腿受け部と下腿受け部との枢結部が上昇した後、前記腰受け部が前記背凭れ部との枢結部を支点に上方に回転する請求項１に記載の介護用ベッド。
【請求項３】
前記便器の内部には使い捨て用便処理材が設けられており、前記便器は左右にスライド可能に設けられている請求項２に記載の介護用ベッド。
【請求項４】
前記左右の臀受け部は、それぞれ、互いに枢結された内側部分と外側部分とから構成され、前記左右の臀受け部が互いに離間方向にスライドした時には前記各内側部分のみがそれぞれ外側にスライドし、該内側部分と外側部分との枢結部が上昇し、山折り形状を成すように構成されている請求項１〜３のいずれか１の請求項に記載の介護用ベッド。
【請求項５】
前記便器は便座に着座する要介護者の前方において上下に移動可能な小便受け部を備え、該小便受け部は、使用時には便座の上方に移動されて要介護者の小便を前記便器内部に導く一方、未使用時には前記便器内部に収容されるように構成されている請求項１〜４のいずれか１の請求項に記載の介護用ベッド。
【請求項６】
前記便器は内部に便収容容器を備え、該便収容容器は前記便器の側面に形成された開口部から外部に取り出し可能となっている請求項１〜５のいずれか１の請求項に記載の介護用ベッド。
【発明の詳細な説明】
【技術分野】
【０００１】
本発明は、要介護者のための介護用ベッドに関し、特に、便器を備えた介護用ベッドに関するものである。
【背景技術】
【０００２】
従来、ベッドに寝た切りの身体障害者や老人等の要介護者が排便する際には、看護士等の介護者に多大な労力の負担を掛けている。そこで、この介護者の労力負担を軽減するため、近年、要介護者が自力で排便できることを目的とした介護用ベッドが各種提案されている。【０００３】
この種の従来の介護用ベッドとしては、例えば、ベッドに寝ている要介護者がスイッチ操作を行うことにより、排便時には要介護者の臀部に対応する位置に開口部が形成され、この開口部に便器が移動されてセットされる一方、排便終了時には、その開口部をマットで閉塞させる介護用ベッドが知られている（例えば、特許文献１参照）。
【特許文献１】特開２００１−２１２１８６号公報
【発明の開示】
【発明が解決しようとする課題】
【０００４】
しかしながら、上記した従来の介護用ベッドでは、要介護者が寝たままの姿勢で排便を行うようになっているため、排便時に力が入らず、排便動作を十分に行なうことができないといった問題があった。【０００５】
また、排便時において開口部に便器がセットされるまでの間、要介護者の臀部に対応する部分にマットがなくなるため、ベッドが要介護者を支持することができなくなり、要介護者に不快感を与えたり、姿勢を維持するために要介護者に無理な姿勢を強いたりするといった問題があった。【０００６】
本発明は、上記した課題を解決すべくなされたものであり、排便動作を容易に行うことができ、排便時に、要介護者に不快感を与えたり、無理な姿勢を強いたりすることのない介護用ベッドを提供することを目的とするものである。
【課題を解決するための手段】
【０００７】
上記した目的を達成するため、本発明は、少なくとも臀受け部と該臀受け部より上半身部分を受け止める上半身受け部と前記臀受け部より下半身部分を受け止める下半身受け部とに分割されたマット体と、前記臀受け部の下方に昇降可能に設けられた便器とを備えた介護用ベッドであって、前記マット体の上半身受け部は互いに枢結された背凭れ部と腰受け部とから構成され、前記臀受け部は左右に分割され、該左右の臀受け部は互いに近接離間方向にスライド可能に設けられ、前記便器の使用時には、前記腰受け部が前記背凭れ部との枢結部を支点に上方に回転した後、前記左右の臀受け部が互いに離間方向にスライドすることにより前記開口部が形成され、該開口部に前記便器が上昇した後、前記腰受け部が前記背凭れ部との枢結部を支点に下方に回転すると共に前記背凭れ部が起立方向に回転することを特徴とする。【０００８】
そして、前記マット体の下半身受け部は互いに枢結された大腿受け部と下腿受け部とから構成され、前記便器の使用時には、前記大腿受け部と下腿受け部との枢結部が上昇した後、前記腰受け部が前記背凭れ部との枢結部を支点に上方に回転してもよい。【０００９】
また、前記便器の内部には使い捨て用便処理材が設けられており、前記便器は左右にスライド可能に設けられていてもよい。【００１０】
さらに、前記左右の臀受け部は、それぞれ、互いに枢結された内側部分と外側部分とから構成され、前記左右の臀受け部が互いに離間方向にスライドした時には前記各内側部分のみがそれぞれ外側にスライドし、該内側部分と外側部分との枢結部が上昇し、山折り形状を成すように構成されていてもよい。【００１１】
さらにまた、前記便器は便座に着座する要介護者の前方において上下に移動可能な小便受け部を備え、該小便受け部は、使用時には便座の上方に移動されて要介護者の小便を前記便器内部に導く一方、未使用時には前記便器内部に収容されるように構成されていてもよい。【００１２】
さらにまた、前記便器は内部に便収容容器を備え、該便収容容器は前記便器の側面に形成された開口部から外部に取り出し可能となっていてもよい。【００１３】
本発明によれば、開口部に便器をセットする時に、腰受け部が背凭れ部との枢結部を支点に上方に回転し、要介護者の腰部を支持するようになっているため、要介護者に不快感を与えたり、この姿勢を維持するために要介護者に無理な姿勢を強いたりすることはない。【００１４】
また、腰受け部が要介護者の腰部を持ち上げる時、要介護者の臀部より下半身部分が大腿受け部と下腿受け部により持ち上げられた状態となっているため、腰受け部が要介護者の腰部を持ち上げるために要する力は最小限で済む。【００１５】
さらに、排便時、要介護者の臀部より上半身部分が起きた状態となっており、要介護者は排便時に力が入り易い姿勢を取ることができるため、排便動作を容易且つ楽な姿勢で行なうことができる。【００１６】
また、要介護者の便は使い捨て便処理材によって飛散が防止されると共に確実に収容されため、衛生状態を良好に保つことができると共に、介護者が簡単に便の処理を行うことができ、介護者の労力の負担を軽減することができる。
【図面の簡単な説明】
【００１７】
【図１】本発明の実施の形態に係る介護用ベッドを示す斜視図である。
【図２】本発明の実施の形態に係る介護用ベッドを示す平面図である。
【図３】本発明の実施の形態に係る介護用ベッドの排便時の状態を示す平面図である。
【図４】本発明の実施の形態に係る介護用ベッドの便器装置を示す側面図である。
【図５】本発明の実施の形態に係る介護用ベッドの便器装置を示す断面図である。
【図６】本発明の実施の形態に係る介護用ベッドの動作を示す側面図である。
【図７】本発明の実施の形態に係る介護用ベッドの動作を示す側面図である。
【図８】本発明の実施の形態に係る介護用ベッドの動作を示す側面図である。
【図９】本発明の実施の形態に係る介護用ベッドの動作を示す側面図である。
【図１０】本発明の実施の形態に係る介護用ベッドの変形例を示す斜視図である。
【図１１】本発明の実施の形態に係る介護用ベッドの便器装置の変形例を示す断面図である。
【発明を実施するための最良の形態】
【００１８】
以下、図面を参照しつつ、本発明の実施の形態について説明する。ここで、図１は本発明の実施の形態に係る介護用ベッドを示す斜視図、図２は同介護用ベッドを示す平面図、図３は同介護用ベッドの排便時の状態を示す平面図、図４は同介護用ベッドの便器装置を示す側面図、図５は同介護用ベッドの便器装置を示す断面図である。【００１９】
本実施の形態に係る介護用ベッド１は、ベッド枠体２と、ベッド枠体２に支持されるマット体３と、マット体３の下方に設けられる便器装置４とを備えており、さらに、マット体３は、弾力性のあるマット部材５と、マット部材５の裏面側に設けられた支持部材６とから構成されている。【００２０】
マット体５は、介護用ベッド１に横たわった要介護者Ｐの臀部を支持する臀受け部７と、臀受け部７より上半身部分を支持する上半身受け部８と、臀受け部７より下半身部分を支持する下半身受け部９とに分割されている。さらに、臀受け部７は左右に分割され、左右の臀受け部７ａ，７ｂはそれぞれ互いに近接離間方向にスライド可能に設けられ、左右の臀受け部７ａ，７ｂは、それぞれ下面側を支点に枢結された内側部分７ａ１，７ｂ１と外側部分７ａ２，７ｂ２により構成されている。【００２１】
上半身受け部８は、介護用ベッド１に横たわった要介護者の頭部を支持する頭受け部１０と、要介護者の背中を支持する背凭れ部１１と、要介護者の腰を支持する腰受け部１２とが互いに枢結されて構成されている。そして、頭部１０と背凭れ部１１、及び背凭れ部１１と腰受け部１２とは、図示しない駆動源及び伝達機構を介して、上面側に形成された第１枢結部１３及び第２枢結部１４を支点にそれぞれ回転可能に設けられている。なお、この場合の駆動源としては、モータやアクチュエータ等の電動式或いは空圧式等の各種駆動源を使用可能であり、また、伝達機構としては、リンク機構や歯車、ベルト等を使用可能であるが、いずれも従来の公知技術により実現可能であるため、ここでは詳細な説明を省略する。【００２２】
一方、下半身受け部９は、介護用ベッド１に横たわった要介護者の大腿部を支持する大腿受け部１５と、要介護者の下腿部を支持する下腿受け部１６と、要介護者の踵を支持する踵受け部１７とが互いに枢結されて構成されている。そして、大腿受け部１５と下腿受け部１６とは、前記駆動源及び伝達機構を介して、下面側に形成された第３枢結部３３を支点にそれぞれ回転可能に設けられている。また、下腿受け部１６と踵受け部１７とは、前記駆動源及び伝達機構を介して、上面側に形成された第４枢結部１８を支点にそれぞれ回転可能に設けられている。【００２３】
便器装置４は、図４及び図５に良く示されているように、土台１９と、土台１９の上に固定された便器２０と、便器２０の上に設けられた便座２１とにより構成されている。【００２４】
土台１９は、例えば油圧機構２２等の昇降機構により昇降可能に設けられ、下端に設けられた車輪２３が左右方向に伸縮可能なレール２４内を移動することにより左右方向にスライド可能となっている。【００２５】
便器２０は、ポリエチレン製でバケツ状の便器本体２５と、便器本体２５の周壁内面に沿って挿入されるダンボール製の筒状部材２６と、便器本体２５の底部に載置されるポリエチレン製で円形皿状の便収容容器２７とから構成されている。この便収容容器２７の内部には吸水性の良い使い捨て用便処理材２８が充填されており、便収容容器２７は、１〜２回分の便を収容できる容量を備えている。【００２６】
また、便器本体２５の下端側には横長の開口部２９が形成されており、この開口部２９は便収容容器２７の把手３２が取り付けられた側面３０により閉塞可能に形成されていると共に、便収容容器２７はこの開口部２９を介して外部に引き出し可能となっている。【００２７】
便座２１は、ウォシュレット付きの暖房便座であり、一端部を支点に上方に回転し、起立姿勢に保持可能なように設けられている。また、便座２１は、カートリッジ製の洗浄水タンク３１を備えており、この洗浄水タンクは、１〜２回分の少量の洗浄水を収容できる容量を備えている。【００２８】
次に、主に図６〜図９を参照しつつ、上記した介護用ベッド１１の動作について説明する。ここで、図６は本発明の実施の形態に係る介護用ベッドの動作を示す側面図、図７は同介護用ベッドの動作を示す側面図、図８は同介護用ベッドの動作を示す側面図、図９は同介護用ベッドの動作を示す側面図である。【００２９】
図６に示すように介護用ベッド１に要介護者Ｐが仰向けに横たわっている状態で、リモートコントローラ（図示省略）の開始ボタンを押圧すると、要介護者Ｐに排便姿勢を取らせるまでの以下の動作が全自動で行なわれる。【００３０】
具体的には、先ず、図７に示すように、マット体３の大腿受け部１５と下腿受け部１６との第３枢結部３３が上昇し、大腿受け部１５が第３枢結部３３を支点に下方（図７の時計回り方向）に回転すると共に下腿受け部１６が第３枢結部３３を支点に下方（図７の反時計回り方向）に回転する。これにより、要介護者Ｐの臀部より下半身部分が持ち上げられ、要介護者Ｐの下半身部分は膝を折った状態となる。【００３１】
次いで、図８に示すように、腰受け部１２が第２枢結部１４を支点に上方（図８の時計回り方向）に僅かに回転し、要介護者Ｐの腰部を静かに持ち上げ、これにより、要介護者Ｐの臀部は臀受け部７から僅かに浮いた状態となる。この場合、要介護者Ｐの臀部より下半身部分が大腿受け部１５と下腿受け部１６により持ち上げられた状態となっているため、腰受け部１２が要介護者Ｐの腰部を持ち上げるために要する力は最小限で済む。【００３２】
その後、左右の臀受け部７ａ，７ｂが互いに離間方向にスライドし、外側部分７ａ２，７ｂ２はそれぞれ内側部分７ａ１，７ｂ１に対して下面側を支点に下方に回転し、これにより、要介護者Ｐの臀部の下方に開口部が形成される。この時、要介護者Ｐの腰部は腰受け部１２により支持されているため、要介護者に不快感を与えたり、この姿勢を維持するために要介護者に無理な姿勢を強いたりすることはない。【００３３】
次いで、図９に示すように、油圧機構２２により便器２０が上昇され、便器２０はこの開口部に移動してセットされる。その後、腰受け部１２が第２枢結部１４を支点に下方（図９の反時計回り方向）に回転すると共に背凭れ部１１及び頭部１０がそれぞれ第２枢結部１４及び第１枢結部１３を支点に起立方向（図９の反時計回り方向）に回転する。これにより、要介護者Ｐの臀部が便座２１上に載置されると共に、要介護者Ｐの臀部より上半身部分が起きた状態となり、要介護者は排便時に力が入り易い姿勢を取ることができる。したがって、要介護者Ｐは排便動作を容易且つ楽な姿勢で行なうことができる。また、要介護者Ｐから放出された便は筒状部材２６や使い捨て便処理材２８によって飛散が防止されると共に確実に収容されため、衛生状態を良好に保つことができる。【００３４】
このように要介護者Ｐが排便姿勢を取って排便を終了後、リモートコントローラ（図示省略）の終了ボタンを押圧すると、上記した動作とは反対の動作が全自動で行なわれ、介護用ベッド１は、図６に示すように、要介護者Ｐが仰向けに横たわれる通常時の状態に戻される。なお、排便終了後、便器２０の上端がマット体３の臀受け部７の下面に当接し、臭気が便器２０の上端開口から排出されるのを防止するようにしてもよい。【００３５】
そして、要介護者Ｐの排便後、介護者が排便を処理するには、先ず、左右いずれか一方に伸長させたレール２４に沿って便器装置４をスライドさせ、マット体３の外側に引き出す。次いで、このように便器装置４をマット体３の外側に引き出した状態で、把手３１を引いて便収容容器２７を便器２０から引き出し、便収容容器２７内の使用済みの使い捨て用便処理材２８を廃棄し、新しい使い捨て用便処理材２８と交換する。また、一端部を支点に便座２１を上方に回転させて起立姿勢にした状態で、筒状部材２６を上方に引き出し、廃棄し、新しい筒状部材と交換後、便座２１を下方に回転させて元の状態に戻す。そして、このように便を処理し、使い捨て用処理材２８及び筒状部材２６を新しいものと交換した後、便器装置４をレール２４に沿ってマット体３の下方の所定位置にセットする。【００３６】
このように使い捨て用処理材２８及び筒状部材２６を新しいものに交換することにより簡単に便の処理を行うことができため、介護者の労力の負担を軽減することができる。【００３７】
なお、上記した実施の形態では、使い捨て用処理材２８及び筒状部材２６により便を処理しているが、これは単なる例示に過ぎず、例えば、ビニル袋の内部に紙おむつ材を貼付した携帯トイレ部材を使用し、該携帯トイレ部材を便器２０の内部において広げると共にその上端を便器２０の上端部或いは便座２１に引っ掛けてセットし、携帯トイレ部材の内部に便が収容された後、携帯トイレ部材を交換する等、各種変更が可能である。この場合、便器２０に便収容容器２７取り出し用の開口部２９を形成する必要がなく、便の処理作業が一層簡素化されるため、介護者の労力負担をさらに軽減することができる。【００３８】
また、図１０に示すように、左右の臀受け部７ａ，７ｂは、互いに離間方向にスライドした時に各内側部分７ａ１，７ｂ１のみがそれぞれ外側にスライドし、内側部分７ａ１，７ｂ１と外側部分７ａ２，７ｂ２との枢結部が上昇し、山折り形状を成すように構成されていてもよい。この場合、左右の臀受け部７ａ，７ｂが左右外側にスライド動作した時に外側部分７ａ２，７ｂ２が介護用ベッド１の左右側方に突出しないため、介護ベッド１の左右側方に障害物が存在したとしても、左右の臀受け部７ａ，７ｂを円滑にスライド動作させることができる。【００３９】
さらに、図１０及び図１１に示すように、便器２０は便座２１に着座する要介護者の前方において上下に移動可能な小便受け部４１を備え、この小便受け部４１は、使用時には図１１中に実線で示すように便座２１の上方に移動されて要介護者の小便を便器２０内部に導く一方、未使用時には図１１中に二点鎖線で示すように便器２０内部に収容されるように構成されていてもよい。【００４０】
また、便器２０は、内部が小便器部分４２と大便器部分４３とに２分割され、小便器部分４２と大便器部分４３の各底部に例えばテフロン（登録商標）加工が施された鍋状の小便収容容器４４及び大便収容容器４５を備えており、小便収容容器４４及び大便収容容器４５は便器２０の側面に形成された開口部（図示省略）から外部に引き出し可能となっている。そして、この小便収容容器４４及び大便収容容器４５の各内部には、吸水性の良い使い捨て用便処理材が充填又はビニル袋がセットされているのが好ましい。【００４１】
なお、この場合、小便受け部４１はスイッチ操作により自動昇降、或いは手動操作により昇降されるように構成されていてもよく、また、便器２０はおしり洗浄機能付きで、洗浄水タンク３１を備えていてもよく、さらに、便器２０は自動開閉可能な防臭用の蓋を備えていてもよい。
【図１】
2008093527.tif 000003
【図２】
2008093527.tif 000004
【図３】
2008093527.tif 000005
【図４】
2008093527.tif 000006
【図５】
2008093527.tif 000007
【図６】
2008093527.tif 000008
【図７】
2008093527.tif 000009
【図８】
2008093527.tif 000010
【図９】
2008093527.tif 000011
【図１０】
2008093527.tif 000012
【図１１】
2008093527.tif 000013
【国際調査報告】
2008093527.tif 000014
2008093527.tif 000015
2008093527.tif 000016
2008093527.tif 000017